(57)【要約】【課題】操作性が良くないという課題を解決できるセキュリティシステム、端末および情報配信方法を提供する。【解決手段】端末３〜６は、配信用情報を取得する取得手段と、端末３〜６の中から選択された送信先を受け付ける受付手段と、受付手段にて送信先が受け付けられた場合にセッション開始要求と当該送信先を示す送信先情報を配信装置２に送信し、送信先と自端末の通信セッションが確立された旨のセッション確立情報を配信装置２から受信した場合に取得手段が取得した配信用情報を配信装置２に送信する制御手段とを含む。配信装置２は、セッション開始要求と送信先情報を受信した場合に、当該セッション開始要求の送信元と当該送信先の通信セッションを確立し、セッション確立情報を送信元に送信する管理手段と、送信元から配信用情報を受信した場合に、当該配信用情報を送信先にプッシュ配信する配信手段と、を含む。【選択図】図１
2009015572.tif 000002
【特許請求の範囲】
【請求項１】
複数の端末と、前記複数の端末と通信可能な配信装置と、を含むセキュリティシステムであって、
前記複数の端末のそれぞれは、
配信用情報を取得する取得手段と、
前記複数の端末の中から選択された送信先を受け付ける受付手段と、
前記受付手段にて前記送信先が受け付けられた場合に、セッション開始要求と当該送信先を示す送信先情報とを前記配信装置に送信し、また、前記送信先と自端末との通信セッションが確立された旨のセッション確立情報を前記配信装置から受信した場合に、前記取得手段にて取得された配信用情報を前記配信装置に送信する制御手段と、を含み、
前記配信装置は、
前記セッション開始要求と前記送信先情報とを受信した場合に、当該セッション開始要求の送信元と当該送信先との通信セッションを確立し、当該送信元と当該送信先との通信セッションが確立された旨のセッション確立情報を、前記送信元に送信する管理手段と、
前記送信元から前記配信用情報を受信した場合に、当該配信用情報を、前記送信先にプッシュ配信する配信手段と、を含む、セキュリティシステム。
【請求項２】
請求項１に記載のセキュリティシステムにおいて、
前記制御手段は、
前記配信装置から前記セッション確立情報を受信した場合に、発言権取得要求を、前記配信装置に送信する発言権管理手段と、
前記配信装置から発言権取得通知を受信した場合に、前記取得手段にて取得された配信用情報を前記配信装置に送信する送信制御手段と、を含み、
前記管理手段は、さらに、前記発言権取得要求を受信した場合に、発言権を当該発言権取得要求の送信元に付与すると共に、前記発言権取得通知を少なくとも当該送信元に送信し、
前記配信手段は、前記発言権を有する前記送信元から前記配信用情報を受信した場合に、当該配信用情報を、前記送信先にプッシュ配信する、セキュリティシステム。
【請求項３】
請求項２に記載のセキュリティシステムにおいて、
前記発言権管理手段は、さらに、前記配信用情報の送信が終了した場合に、発言権解放要求を前記配信装置に送信し、
前記管理手段は、さらに、前記発言権解放要求を受信した場合に、当該発言権解放要求の送信元に付与されていた発言権を解放する、セキュリティシステム。
【請求項４】
請求項１から３のいずれか１項に記載のセキュリティシステムにおいて、
前記複数の端末のうち自端末と異なる端末を、前記送信先の候補として表示する出力手段をさらに含み、
前記受付手段は、前記送信先の候補から選択された候補を、前記送信先として受け付ける、セキュリティシステム。
【請求項５】
請求項１から４のいずれか１項に記載のセキュリティシステムにおいて、
前記複数の端末と前記配信装置は、ＰｏＣ方式で通信する、セキュリティシステム。
【請求項６】
配信装置と通信可能な端末であって、
配信用情報を取得する取得手段と、
送信先を受け付ける受付手段と、
前記受付手段にて前記送信先が受け付けられた場合に、セッション開始要求と当該送信先を示す送信先情報とを前記配信装置に送信し、また、前記送信先と自端末との通信セッションが確立された旨のセッション確立情報を前記配信装置から受信した場合に、前記取得手段にて取得された配信用情報を前記配信装置に送信する制御手段と、を含む端末。
【請求項７】
請求項６に記載の端末において、
前記制御手段は、
前記配信装置から前記セッション確立情報を受信した場合に、発言権取得要求を、前記配信装置に送信する発言権管理手段と、
前記配信装置から発言権取得通知を受信した場合に、前記取得手段にて取得された配信用情報を前記配信装置に送信する送信制御手段と、を含む、端末。
【請求項８】
請求項７に記載の端末において、
前記発言権管理手段は、さらに、前記配信用情報の送信が終了した場合に、発言権解放要求を前記配信装置に送信する、端末。
【請求項９】
請求項６から８のいずれか１項に記載の端末において、
前記配信装置と通信可能な複数の端末のうち自端末と異なる端末を、前記送信先の候補として表示する出力手段をさらに含み、
前記受付手段は、前記送信先の候補から選択された候補を、前記送信先として受け付ける、端末。
【請求項１０】
請求項６から９のいずれか１項に記載の端末において、
前記配信装置とＰｏＣ方式で通信する端末。
【請求項１１】
複数の端末と、前記複数の端末と通信可能な配信装置と、を含むセキュリティシステムの情報配信方法であって、
前記複数の端末のうちの特定の端末が、配信用情報を取得する取得ステップと、
前記特定の端末が、前記複数の端末の中から選択された送信先を受け付ける受付ステップと、
前記送信先が受け付けられた場合に、前記特定の端末が、セッション開始要求と当該送信先を示す送信先情報とを前記配信装置に送信する第１送信ステップと、
前記配信装置が、前記セッション開始要求と前記送信先情報とを受信した場合に、当該セッション開始要求の送信元と当該送信先との通信セッションを確立し、当該送信元と当該送信先との通信セッションが確立された旨のセッション確立情報を、前記送信元に送信する管理ステップと、
前記特定の端末が、前記送信先と自端末との通信セッションが確立された旨のセッション確立情報を前記配信装置から受信した場合に、前記配信用情報を前記配信装置に送信する第２送信ステップと、
前記配信装置が、前記送信元から前記配信用情報を受信した場合に、当該配信用情報を、前記送信先にプッシュ配信する配信ステップと、を含む情報配信方法。
【請求項１２】
請求項１１に記載の情報配信方法において、
前記第２送信ステップは、
前記配信装置から前記セッション確立情報を受信した場合に、発言権取得要求を、前記配信装置に送信する発言権管理ステップと、
前記配信装置から発言権取得通知を受信した場合に、前記配信用情報を前記配信装置に送信する送信制御ステップと、を含み、
前記配信装置が、前記発言権取得要求を受信した場合に、発言権を当該発言権取得要求の送信元に付与すると共に、前記発言権取得通知を少なくとも当該送信元に送信する発言権付与ステップを、さらに含み、
前記配信ステップでは、前記発言権を有する前記送信元から前記配信用情報を受信した場合に、当該配信用情報を、前記送信先にプッシュ配信する、情報配信方法。
【請求項１３】
配信装置と通信可能な端末の情報配信方法であって、
配信用情報を取得する取得ステップと、
送信先を受け付ける受付ステップと、
前記送信先が受け付けられた場合に、セッション開始要求と当該送信先を示す送信先情報とを前記配信装置に送信する第１送信ステップと、
前記送信先と自端末との通信セッションが確立された旨のセッション確立情報を前記配信装置から受信した場合に、前記配信用情報を前記配信装置に送信する第２送信ステップと、を含む情報配信方法。
【請求項１４】
請求項１３に記載の情報配信方法において、
前記第２送信ステップは、
前記配信装置から前記セッション確立情報を受信した場合に、発言権取得要求を、前記配信装置に送信する発言権管理ステップと、
前記配信装置から発言権取得通知を受信した場合に、前記配信用情報を前記配信装置に送信する送信制御ステップと、を含む、情報配信方法。
【請求項１５】
コンピュータを、
配信用情報を取得する取得手段と、
送信先を受け付ける受付手段と、
前記受付手段にて前記送信先が受け付けられた場合に、セッション開始要求と当該送信先を示す送信先情報とを前記配信装置に送信し、また、前記送信先と自端末との通信セッションが確立された旨のセッション確立情報を前記配信装置から受信した場合に、前記取得手段にて取得された配信用情報を前記配信装置に送信する制御手段として機能させるためのプログラム。
【発明の詳細な説明】
【技術分野】
【０００１】
本発明は、セキュリティシステム、端末、情報配信方法およびプログラムに関する。
【背景技術】
【０００２】
セキュリティシステムの一例が、特許文献１に記載されている。
【０００３】
特許文献１に記載のシステムでは、携帯端末は、列車から情報を読み取ると、その情報を配信支援センタ装置に送信する。配信支援センタ装置は、その情報を格納する。配信支援センタ装置は、その列車が災害に遭遇した際に、その情報を、予め登録されている通信端末にプッシュ配信する。
【０００４】
特許文献２には、ホームネットワークシステムが記載されている。
【０００５】
このホームネットワークシステムでは、セキュリティサーバは、緊急情報を受け付けると、その緊急情報を、予め登録されている緊急時連絡先にプッシュ配信する。
【０００６】
特許文献３には、マルチメディア情報収集管理システムが記載されている。
【０００７】
このシステムは、複数のマルチメディア携帯端末装置と、マルチメディア情報収集管理装置と、を含む。
【０００８】
マルチメディア携帯端末装置は、画像データ、音声データおよび文字データからなるマルチメディア情報を収集し、そのマルチメディア情報を、マルチメディア情報収集管理装置に送信する。なお、マルチメディア情報は、セキュリティに関する情報である。
【０００９】
マルチメディア情報収集管理装置は、マルチメディア情報を受け付けると、そのマルチメディア情報を、予め登録されている端末装置にプッシュ配信する。このため、配信先である端末装置は、ユーザの操作がなくても、自動的に画面を更新し、最新のデータをリアルタイムで表示する。
【特許文献１】特開２００７−９４８９５号公報
【特許文献２】再公表特許ＷＯ２００２／０２７５０３号公報
【特許文献３】特開２０００−４８０５０号公報
【発明の開示】
【発明が解決しようとする課題】
【００１０】
ユーザが、特許文献１から３に記載のシステムを使用する場合、ユーザは、配信先を予め登録する登録操作と、配信用情報を送信する送信操作と、を行う必要がある。
【００１１】
このため、ユーザは、配信用情報を送信するたびに配信先を変更したい場合、配信用情報を配信するたびに、登録操作と送信操作の両方を行う必要がある。よって、操作性が良くないという問題があった。
【００１２】
本発明の目的は、操作性が良くないという上述した課題を解決することが可能なセキュリティシステム、端末、情報配信方法およびプログラムを提供することである。
【課題を解決するための手段】
【００１３】
本発明のセキュリティシステムは、複数の端末と、前記複数の端末と通信可能な配信装置と、を含むセキュリティシステムであって、前記複数の端末のそれぞれは、配信用情報を取得する取得手段と、前記複数の端末の中から選択された送信先を受け付ける受付手段と、前記受付手段にて前記送信先が受け付けられた場合に、セッション開始要求と当該送信先を示す送信先情報とを前記配信装置に送信し、また、前記送信先と自端末との通信セッションが確立された旨のセッション確立情報を前記配信装置から受信した場合に、前記取得手段にて取得された配信用情報を前記配信装置に送信する制御手段と、を含み、前記配信装置は、前記セッション開始要求と前記送信先情報とを受信した場合に、当該セッション開始要求の送信元と当該送信先との通信セッションを確立し、当該送信元と当該送信先との通信セッションが確立された旨のセッション確立情報を、前記送信元に送信する管理手段と、前記送信元から前記配信用情報を受信した場合に、当該配信用情報を、前記送信先にプッシュ配信する配信手段と、を含む。
【００１４】
本発明の情報配信方法は、複数の端末と、前記複数の端末と通信可能な配信装置と、を含むセキュリティシステムの情報配信方法であって、前記複数の端末のうちの特定の端末が、配信用情報を取得する取得ステップと、前記特定の端末が、前記複数の端末の中から選択された送信先を受け付ける受付ステップと、前記送信先が受け付けられた場合に、前記特定の端末が、セッション開始要求と当該送信先を示す送信先情報とを前記配信装置に送信する第１送信ステップと、前記配信装置が、前記セッション開始要求と前記送信先情報とを受信した場合に、当該セッション開始要求の送信元と当該送信先との通信セッションを確立し、当該送信元と当該送信先との通信セッションが確立された旨のセッション確立情報を、前記送信元に送信する管理ステップと、前記特定の端末が、前記送信先と自端末との通信セッションが確立された旨のセッション確立情報を前記配信装置から受信した場合に、前記配信用情報を前記配信装置に送信する第２送信ステップと、前記配信装置が、前記送信元から前記配信用情報を受信した場合に、当該配信用情報を、前記送信先にプッシュ配信する配信ステップと、を含む。
【００１５】
本発明の端末は、配信装置と通信可能な端末であって、配信用情報を取得する取得手段と、送信先を受け付ける受付手段と、前記受付手段にて前記送信先が受け付けられた場合に、セッション開始要求と当該送信先を示す送信先情報とを前記配信装置に送信し、また、前記送信先と自端末との通信セッションが確立された旨のセッション確立情報を前記配信装置から受信した場合に、前記取得手段にて取得された配信用情報を前記配信装置に送信する制御手段と、を含む。
【００１６】
本発明の情報配信方法は、配信装置と通信可能な端末の情報配信方法であって、配信用情報を取得する取得ステップと、送信先を受け付ける受付ステップと、前記送信先が受け付けられた場合に、セッション開始要求と当該送信先を示す送信先情報とを前記配信装置に送信する第１送信ステップと、前記送信先と自端末との通信セッションが確立された旨のセッション確立情報を前記配信装置から受信した場合に、前記配信用情報を前記配信装置に送信する第２送信ステップと、を含む。
【００１７】
本発明のプログラムは、コンピュータを、配信用情報を取得する取得手段と、送信先を受け付ける受付手段と、前記受付手段にて前記送信先が受け付けられた場合に、セッション開始要求と当該送信先を示す送信先情報とを前記配信装置に送信し、また、前記送信先と自端末との通信セッションが確立された旨のセッション確立情報を前記配信装置から受信した場合に、前記取得手段にて取得された配信用情報を前記配信装置に送信する制御手段として機能させる。
【発明の効果】
【００１８】
本発明によれば、ユーザの操作性を向上することが可能になる。
【発明を実施するための最良の形態】
【００１９】
以下、本発明の実施形態を、図面を参照して説明する。
【００２０】
図１は、本発明の一実施形態のセキュリティシステムを示したブロック図である。
【００２１】
図１において、セキュリティシステムは、固定・移動統合ネットワーク１を介して通信可能な、マルチメディア配信サーバ２と、固定マルチメディア通信端末３と、移動マルチメディア通信端末４、５および６とを含む。
【００２２】
固定・移動統合ネットワーク１は、有線のネットワークおよび無線のネットワークを含む。固定・移動統合ネットワーク１には、マルチメディア配信サーバ２と、固定マルチメディア通信端末３と、移動マルチメディア通信端末４、５および６とが接続可能である。
【００２３】
マルチメディア配信サーバ２は、配信装置の一例である。マルチメディア配信サーバ２は、固定・移動統合ネットワーク１を介して、固定マルチメディア通信端末３、ならびに、移動マルチメディア通信端末４、５および６と通信可能である。
【００２４】
固定マルチメディア通信端末３は、固定・移動統合ネットワーク１の有線のネットワークに接続されている。なお、固定マルチメディア通信端末の数は、１台に限らず、複数台でもよい。
【００２５】
移動マルチメディア通信端末４、５および６は、固定・移動統合ネットワーク１の無線のネットワークに接続されている。なお、移動マルチメディア通信端末の数は、３台に限らず、適宜変更可能である。
【００２６】
固定・移動統合ネットワーク１では、マルチメディア配信サーバ２が、ＳＩＰ（Session Initiation Protocol：セッション開始プロトコル）を利用したセッション管理を行っており、各通信端末間の接続を行う。本実施形態では、各通信端末およびマルチメディア配信サーバ２は、互いにＰｏＣ方式で通信する。
【００２７】
図２は、セキュリティシステムの動作の一例を説明するための説明図である。
【００２８】
図２において、固定マルチメディア通信端末３は、セキュリティセンタ３Ａに設けられ、移動マルチメディア通信端末４は、登録者４Ａに携帯され、移動マルチメディア通信端末５は、登録者５Ａに携帯されているとする。なお、固定マルチメディア通信端末３の設置場所と、移動マルチメディア通信端末４および５の所有者は、適宜変更可能である。
【００２９】
以下、図２を参照して、各通信端末が接続されている状態（各通信端末の通信セクションが確立している状態）において、固定マルチメディア通信端末３が、保有情報（配信用情報）を、移動マルチメディア通信端末４、５および６に配信する動作を説明する。
【００３０】
固定マルチメディア通信端末３は、保有情報を、固定・移動統合ネットワーク１を通じて、マルチメディア配信サーバ２へ送信する。
【００３１】
マルチメディア配信サーバ２は、固定マルチメディア通信端末３から保有情報を受信すると、その保有情報をコピーする。その後、マルチメディア配信サーバ２は、固定マルチメディア通信端末３とのセッションが確立されている移動マルチメディア通信端末４、５および６に、保有情報のコピーを一斉配信する。
【００３２】
移動マルチメディア通信端末４、５および６は、配信された情報を受信すると、その情報に応じた画像を自動で画面に表示する。
【００３３】
移動マルチメディア通信端末４は、配信された情報を受けた後に追加情報を入手した場合、マルチメディア配信サーバ２へ、追加情報を送信する。
【００３４】
マルチメディア配信サーバ２は、移動マルチメディア通信端末４から追加情報を受信すると、その追加情報をコピーし、移動マルチメディア通信端末４とのセッションが確立されているマルチメディア通信端末３、５および６に、追加情報のコピーを一斉配信する。
【００３５】
固定マルチメディア通信端末３、ならびに、移動マルチメディア通信端末５および６は、配信された情報を受信すると、その情報に応じた画像を自動で画面に表示する。
【００３６】
図３は、マルチメディア通信端末３〜６に共通する構成（以下「マルチメディア通信端末１０」と称する。）を示したブロック図である。
【００３７】
マルチメディア通信端末１０は、音声・画像・リアル動画・自由描画・文字およびWeb情報などを、同一ソフトウェア上で出力する機能を有する。
【００３８】
図３において、マルチメディア通信端末１０は、外部データ入力部１１と、制御部１２と、出力部１３と、を含む。
【００３９】
制御部１２は、送信制御部１２ａと、発言権管理部１２ｂと、を含む。
【００４０】
送信制御部１２ａは、データ管理部１２ａ１と、データ送受信部１２ａ２と、アドレス帳１２ａ３と、セッション制御部１２ａ４と、を含む。
【００４１】
出力部１３は、データ表示部１３ａと、スピーカ部１３ｂと、を含む。
【００４２】
外部データ入力部１１は、取得手段および受付手段の一例である。
【００４３】
外部データ入力部１１は、端末外部から配信用情報を取得する複数のデバイス（例えば、カメラ、マイク、タッチパネルおよびキーボードなど）を含む。
【００４４】
このため、外部データ入力部１１は、音声、静止画、リアル動画像、自由描画、文字情報、および、Ｗｅｂ情報等からなるマルチメディア情報を、配信用情報として取得可能である。
【００４５】
なお、マルチメディア情報は、音声、静止画、リアル動画像、自由描画、文字情報、および、Ｗｅｂ情報の組み合わせに限らず、適宜変更可能である。
【００４６】
また、外部データ入力部１１は、複数のマルチメディア通信端末の中からユーザによって選択された送信先（例えば、送信先となる端末のアドレス）を受け付ける。
【００４７】
制御部１２は、制御手段の一例である。
【００４８】
制御部１２は、外部データ入力部１１にて送信先が受け付けられた場合に、マルチメディア配信サーバ２に、セッション開始要求と、その送信先を示す送信先情報（例えば、送信先となる端末のアドレス）と、を送信する。
【００４９】
また、制御部１２は、マルチメディア配信サーバ２から、送信先と自端末との通信セッションが確立された旨のセッション確立情報を受信した場合に、外部データ入力部１１にて取得された配信用情報を、マルチメディア配信サーバ２に送信する。
【００５０】
送信制御部１２ａは、送信制御手段の一例である。
【００５１】
送信制御部１２ａは、外部データ入力部１１にて送信先が受け付けられた場合に、マルチメディア配信サーバ２に、セッション開始要求と、その送信先を示す送信先情報と、を送信する。
【００５２】
送信制御部１２ａは、マルチメディア配信サーバ２からセッション確立情報を受信した場合に、そのセッション確立情報を、発言権管理部１２ｂに提供する。
【００５３】
発言権管理部１２ｂは、発言権管理手段の一例である。
【００５４】
発言権管理部１２ｂは、マルチメディア配信サーバ２から送信制御部１２ａを介してセッション確立情報を受信した場合に、発言権取得要求を、送信制御部１２ａを介してマルチメディア配信サーバ２に送信する。
【００５５】
なお、送信制御部１２ａは、マルチメディア配信サーバ２から発言権取得通知を受信した場合に、外部データ入力部１１にて取得された配信用情報を、マルチメディア配信サーバ２に送信する。
【００５６】
また、発言権管理部１２ｂは、送信制御部１２ａからの配信用情報の送信が終了した場合（具体的には、送信制御部１２ａから送信終了情報を受け付けた場合）に、発言権解放要求をマルチメディア配信サーバ２に送信する。
【００５７】
データ管理部１２ａ１は、データ管理手段の一例である。データ管理部１２ａ１は、例えば、メモリ等の記録媒体であり、外部データ入力部１１が取得した配信用情報（マルチメディア情報）を格納して管理する。
【００５８】
データ送受信部１２ａ２は、データ送受信手段の一例である。データ送受信部１２ａ２は、固定・移動統合ネットワーク１と接続され、情報の送受信を行う。
【００５９】
アドレス帳１２ａ３は、アドレス帳格納手段の一例である。アドレス帳１２ａ３は、例えば、ＨＤＤ等の記録媒体にて構成され、セッションに参加するグループ（メンバ）の情報を管理する。例えば、アドレス帳１２ａ３は、セッションに参加可能な他のマルチメディア通信端末のアドレスを格納する。
【００６０】
セッション制御部１２ａ４は、セッション制御手段の一例である。
【００６１】
セッション制御部１２ａ４は、外部データ入力部１１がユーザからセッション開始指示を受け付けると、そのセッション開始指示を、データ管理部１２ａ１を通じて受け付ける。
【００６２】
セッション制御部１２ａ４は、セッション開始指示を受け付けると、アドレス帳１２ａ３内の他の端末のアドレスを、送信先の候補として、データ表示部１３ａに表示する。
【００６３】
ユーザは、外部データ入力部１１のタッチパネルまたはキーボードを操作して、表示中の他の端末のアドレスの中から、その配信用情報の送信先を選択する。
【００６４】
セッション制御部１２ａ４は、外部データ入力部１１にて送信先が受け付けられた場合に、データ送受信部１２ａ２からマルチメディア配信サーバ２へ、セッション開始要求と、その送信先を示す送信先情報と、を送信する。
【００６５】
セッション制御部１２ａ４は、マルチメディア配信サーバ２からデータ送受信部１２ａ２を介してセッション確立情報を受信した場合に、そのセッション確立情報を発言権管理部１２ｂに提供する。
【００６６】
セッション制御部１２ａ４は、発言権管理部１２ｂから発言権取得要求を受け付けると、その発言権取得要求を、データ送受信部１２ａ２からマルチメディア配信サーバ２へ送信する。
【００６７】
セッション制御部１２ａ４は、マルチメディア配信サーバ２から発言権取得通知を受信した場合に、外部データ入力部１１にて取得され、データ管理部１２ａ１で管理されている配信用情報を、マルチメディア配信サーバ２に送信する。
【００６８】
セッション制御部１２ａ４は、配信用情報の送信が終了した場合に、送信終了情報を、発言権管理部１２ｂに提供する。
【００６９】
セッション制御部１２ａ４は、発言権管理部１２ｂから発言権解放要求を受け付けると、その発言権解放要求を、データ送受信部１２ａ２からマルチメディア配信サーバ２へ送信する。
【００７０】
また、セッション制御部１２ａ４は、データ送受信部１２ａ２を介してマルチメディア配信サーバ２から配信用情報を受信すると、その配信用情報をデータ管理部１２ａ１に格納するとともに、その配信用情報を出力部１３から出力する。
【００７１】
出力部１３は、出力手段の一例である。
【００７２】
出力部１３は、制御部１２がマルチメディア配信サーバ２から配信用情報を受信した場合に、その配信用情報を出力する。
【００７３】
データ表示部１３ａは、外部データ入力部１１が取得した配信用情報に含まれる表示情報（例えば、静止画、リアル動画像、文字情報、および、Ｗｅｂ情報）に応じた画像、および、配信された配信用情報に含まれる表示情報に応じた画像を表示する。
【００７４】
スピーカ部１３ｂは、外部データ入力部１１が取得した配信用情報に含まれる音声情報、および、配信された配信用情報に含まれる音声情報に応じた音声を出力する。
【００７５】
図４は、マルチメディア配信サーバ２の一例を示したブロック図である。
【００７６】
図４において、マルチメディア配信サーバ２は、管理部２ａと、配信部２ｂと、を含む。
【００７７】
管理部２ａは、管理手段の一例である。
【００７８】
管理部２ａは、セッション開始要求と送信先情報とを受信した場合に、そのセッション開始要求の送信元とその送信先情報が示す送信先との通信セッションを確立する。管理部２ａは、通信セッションを確立すると、その送信元とその送信先との通信セッションが確立した旨のセッション確立情報を、その送信元に送信する。
【００７９】
管理部２ａは、発言権取得要求を受信した場合に、発言権を、その発言権取得要求の送信元に付与すると共に、その送信元が発言権を得たことを表す発言権取得通知を、少なくとも、その送信元に送信する。
【００８０】
管理部２ａは、発言権解放要求を受信した場合に、その発言権解放要求の送信元に付与されていた発言権を解放する。
【００８１】
配信部２ｂは、配信手段の一例である。
【００８２】
配信部２ｂは、セッション開始要求を送信した端末から配信用情報を受信した場合に、その配信用情報を、その端末が送信先として指定した端末にプッシュ（Push）配信する。例えば、配信部２ｂは、発言権を有する送信元から配信用情報を受信した場合に、その配信用情報を、その端末が送信先として指定した端末にプッシュ配信する。
【００８３】
次に、動作を説明する。
【００８４】
図５は、マルチメディア通信端末１０が情報を共有する動作を説明するためのシーケンス図である。
【００８５】
まず、外部データ入力部１１がユーザからセッション開始指示を受け付けると（ステップ５０１）、セッション制御部１２ａ４は、セッションを開始するために、アドレス帳１２ａ３内の情報を、送信先の候補として、データ表示部１３ａに表示し、ユーザに、送信先となるメンバ（端末）を選択させる（ステップ５０２）。
【００８６】
ユーザが外部データ入力部１１を操作してメンバを選択すると（ステップ５０３）、セッション制御部１２ａ４は、セッション開始要求と、その選択された送信先を示す送信先情報とを、データ送受信部１２ａ２からマルチメディア配信サーバ２へ送信する（ステップ５０４）。
【００８７】
マルチメディア配信サーバ２内の管理部２ａは、セッション開始要求と送信先情報とを受信すると（ステップ５０５）、そのセッション開始要求の送信元とその送信先との通信セッションを確立する（ステップ５０６）。
【００８８】
管理部２ａは、通信セッションを確立すると、その送信元とその送信先との通信セッションが確立した旨のセッション確立情報を、その送信元に送信する（ステップ５０７）。
【００８９】
セッション制御部１２ａ４は、マルチメディア配信サーバ２からセッション確立情報を受信すると（ステップ５０８）、そのセッション確立情報を発言権管理部１２ｂに提供し、データ管理部１２ａ１に、外部データ入力部１１より取得した配信用情報を格納させる（ステップ５０９）。
【００９０】
なお、データ管理部１２ａ１は、セッション確立情報を受信する前に外部データ入力部１１が取得した配信用情報を格納してもよい。
【００９１】
発言権管理部１２ｂは、セッション確立情報を受信すると、配信用情報をメンバ（送信先）へ配信するために、発言権取得要求をマルチメディア配信サーバ２に送信する（ステップ５１０）。
【００９２】
マルチメディア配信サーバ２内の管理部２ａは、発言権取得要求を受信すると（ステップ５１１）、発言権を、その発言権取得要求の送信元に付与する（ステップ５１２）。例えば、管理部２ａは、発言権を、その送信元に関連づけて格納する。
【００９３】
続いて、管理部２ａは、その送信元が発言権を得たことを表す発言権取得通知を、少なくとも、その送信元に送信する（ステップ５１３）。なお、本実施形態では、管理部２ａは、発言権取得通知を、セッションが確立されている全端末に配信する。
【００９４】
セッション制御部１２ａ４は、発言権取得通知を受信すると（ステップ５１４）、データ管理部１２ａ１に蓄積されている配信用情報を、マルチメディア配信サーバ２に送信する（ステップ５１５）。
【００９５】
マルチメディア配信サーバ２の配信部２ｂは、配信用情報を受信すると（ステップ５１６）、管理部２ａを参照して、配信用情報の送信元が発言権を有しているか確認し、その送信元が発言権を有していれば、その配信用情報を、その端末が送信先として指定した端末にプッシュ配信する（ステップ５１７）。
【００９６】
なお、セッション制御部１２ａ４は、マルチメディア配信サーバ２から配信された配信用情報を、データ送受信部１２ａ２を経由して受信した場合、その配信用情報を、データ管理部１２ａ１に蓄積し、自動で、データ表示部１３ａに表示、音声の場合は、スピーカ部１３ｂから出力する。
【００９７】
図６は、配信用情報の一例であるセキュリティ情報が発生したときの動作の一例を説明するためのフローチャートである。
【００９８】
なお、この場合、固定マルチメディア通信端末３が、セキュリティセンタに設置され、移動マルチメディア通信端末４が登録者Ａによって携帯され、移動マルチメディア通信端末５が登録者Ｂによって携帯され、移動マルチメディア通信端末６が防犯センタに設置されているものとする。
【００９９】
セキュリティ情報が発生して（ステップ６０１）、セキュリティセンタへ連絡が入ることにより（ステップ６０２）、セキュリティセンタでは、ユーザが、固定マルチメディア通信端末３を操作して、屋外で作業中のメンバ（登録者ＡおよびＢ）が携帯している移動マルチメディア通信端末４および５、ならびに、防犯センタ内の移動マルチメディア通信端末６（例えば、街頭監視カメラ等）を、送信先として選択する。
【０１００】
セキュリティセンタ内の固定マルチメディア通信端末３は、その送信先を示す送信先情報とセッション開始要求をマルチメディア配信サーバ２に送信し、セッションの確立を要求する（ステップ６０３）。
【０１０１】
セッション確立後、セキュリティセンタ内の固定マルチメディア通信端末３は、入力された防犯情報を、セッション確立した屋外作業メンバへ一斉配信する（ステップ６０４）。
【０１０２】
セキュリティ情報を受けた後、セキュリティ登録メンバ各位は、目撃情報や追加情報があった場合、それらの情報を、自己の移動マルチメディア通信端末から、他メンバのマルチメディア通信端末へ、一斉配信する（ステップ６０５）。
【０１０３】
情報を受けても原因が特定されない場合は、メンバ間で、情報交換プロセス（ステップ６０５から６０６）が繰り返えされる。
【０１０４】
原因が特定された場合、危険回避が行われ、安全が確保される（ステップ６０７）。
【０１０５】
図７は、本実施形態の動作を、情報の流れに基づいて説明する。
【０１０６】
なお、この場合、固定マルチメディア通信端末３は、セキュリティセンタに設置されているとする。
【０１０７】
セキュリティセンタの固定マルチメディア通信端末３では、ユーザが外部データ入力部１１を操作してメンバを選択すると、セッション制御部１２ａ４は、セッション開始要求と、その送信先を示す送信先情報とを、データ送受信部１２ａ２からマルチメディア配信サーバ２へ送信する（ステップ７０１）。
【０１０８】
マルチメディア配信サーバ２内の管理部２ａは、セッション開始要求と送信先情報とを受信すると、そのセッション開始要求の送信元とその送信先との通信セッションを確立し、その後、セッション確立情報を、その送信元に送信する（ステップ７０２）。
【０１０９】
セッション確立後、データ管理部１２ａ１は、外部データ入力部１１より取得した配信用情報を格納し、発言権管理部１２ｂは、発言権取得要求をマルチメディア配信サーバ２へ送信する（ステップ７０３）。
【０１１０】
マルチメディア配信サーバ２内の管理部２ａは、発言権取得要求を受信すると、発言権を、その発言権取得要求の送信元に付与し、さらに、発言権を得たメンバ（端末）を表す発言権取得通知を、セッションが確立されている全端末に対して一斉配信する（ステップ７０４）。
【０１１１】
発言権を取得したセキュリティセンタの固定マルチメディア通信端末３では、セッション制御部１２ａ４は、外部データ入力部１１にて取得された配信用情報を、マルチメディア配信サーバ２に送信する（ステップ７０５）。
【０１１２】
マルチメディア配信サーバ２の配信部２ｂは、セキュリティセンタから配信用情報を受信すると、端末４および５に対して、セキュリティセンタからの配信用情報を、一斉配信する（ステップ７０６）。
【０１１３】
セキュリティセンタ内の固定マルチメディア通信端末３では、発言権管理部１２ｂは、配信用情報の配信が終了した場合、取得した発言権を解放するため、マルチメディア配信サーバ２に対して発言権解放要求を送信する（ステップ７０７）。
【０１１４】
マルチメディア配信サーバ２の管理部２ａは、セキュリティセンタ内の固定マルチメディア通信端末３が発言権を解放したことを全メンバに対して通知するために、発言権解放通知を一斉送信する（ステップ７０８）。
【０１１５】
また、端末４が追加の配信用情報を配信する場合も、同様の手順（ステップ７０９〜７１４）が行われ、追加の配信用情報が、マルチメディア配信サーバ２を介して一斉送信される。
【０１１６】
本実施形態の効果を説明する。
【０１１７】
１． プッシュ型通信システムを使用しているため、マルチメディア情報を、グループ内の全メンバに一斉に配信できる。
【０１１８】
配信サーバを通信端末間のセンタに配することにより、複数台の通信端末で構成するグループのうちの一台の通信端末が発信したデータを、配信サーバが、そのデータの配信時に選択された他メンバへ、一斉に、配信することができる。
【０１１９】
また、プッシュ型通信のため、ユーザが端末の画面表示を操作することなく、通信端末上に受信データが自動で表示される。よって、グループ内でリアルタイムに情報を共有すること可能となる。
【０１２０】
グループメンバは、一斉に情報を受信することにより、受信情報を参考に、防犯対策や危険回避を実行することが可能となる。
【０１２１】
また、各端末が、移動しながら、情報を配信することが可能である。
【０１２２】
２． 移動マルチメディア通信端末を使用することにより、情報媒体が豊富になる。
【０１２３】
マルチメディアＰｏＣを使用することで、屋外にて、映像やマルチメディアの情報を共有することが可能となる。
【０１２４】
従来、緊急性を有する状況での情報共有手段として、トランシーバが使われ、音声情報のみが主に共有されていたが、音声だけでは詳細な状況を伝えられない場合もある。本実施形態では、静止画やリアル動画が共有されることで、より具体的な防犯情報を共有することができる。
【０１２５】
マルチメディア通信端末は、音声・画像・リアル動画・自由描画・文字・Web情報などを、同一ソフトウェア上にて通信および出力する機能を有することにより、各マルチメディア通信端末は、所有した情報を、その情報の内容や保有者の状況に適したメディアを使用して、配信することができる。
【０１２６】
３． 固定と移動マルチメディア通信端末間で情報の交換ができる。
【０１２７】
固定・移動統合ネットワーク１を使用することにより、固定網に接続されていた固定マルチメディア通信端末３と、移動網に接続されていた移動マルチメディア通信端末４〜６とが、同一セッションにて、グループを形成することができる。
【０１２８】
このため、移動中の移動通信端末でも、固定通信端末で得た情報を、リアルタイムに受信することが可能となる。
【０１２９】
また、移動先で取得したセキュリティ情報を、即座に全員に配信できるなど、場所にとらわれない情報交換が可能となる。
【０１３０】
また、マルチメディア配信サーバが、各端末の通信帯域に即した通信速度や媒体への変換を行えば、移動通信端末で使用する無線帯域を考慮に入れた最適な通信を実現することが可能となる。
【０１３１】
また、セキュリティセンタは固定端末を用いて情報を収集でき、移動端末は屋内外・移動中などに情報を収集することが可能である。このため、双方の端末の機能利便性を補完し合うことで、より高度でリアルな情報を交換することができる。
【０１３２】
例えば、固定端末がＷｅｂから得た情報を移動端末へ配信する、移動端末が屋外で得た現場情報を固定端末へ配信するといった、各端末の特性に適した情報取得方法で、他端末へ情報を配信することができる。よって、多様性のある高度な詳細情報を共有することが可能となる。
【０１３３】
また、ＰｏＣシステムの構成となるＳＩＰを使用して、グループメンバ間で同時にセッションを確立させることにより、常に、通信端末保有者間での通話が可能な状態を維持させることができる。
【０１３４】
そのため、メールシステムでの弊害であった、受信者がメールサーバにアクセスする手続きが不要となり、グループでのセッション確立後は、常に、情報が通信端末間で送受信でき、リアルタイム性が向上する。
【０１３５】
ＰｏＣシステムでは、複数端末にて同一セッションを確立させることが可能であり、発言権獲得方式による半二重通信にて各通信端末間での情報の送受信が可能となる。
【０１３６】
本実施形態によれば、外部データ入力部１１が送信先を受け付けると、制御部１２は、送信先と自端末との通信セッションを確立させ、配信用情報を送信する。その配信用情報は、その送信先にプッシュ配信される。
【０１３７】
このため、ユーザは、配信用情報を送信するたびに送信先を変更したい場合、送信先の登録操作を行うだけで、送信先の登録と配信用情報の送信の２つの動作が実行される。よって、操作性を向上することが可能になる。
【０１３８】
また、本実施形態では、外部データ入力部１１が送信先を受け付けると、送信制御部１２ａと発言権管理部１２ｂは、送信先と自端末との通信セッションを確立させ、発言権を獲得し、配信用情報を送信する。
【０１３９】
この場合、ユーザが送信先の登録操作を行うだけで、送信先の登録と、発言権の獲得と、配信用情報の送信とが、実行される。よって、操作性をさらに向上することが可能になる。
【０１４０】
また、本実施形態では、外部データ入力部１１が送信先を受け付けると、送信制御部１２ａと発言権管理部１２ｂは、送信先と自端末との通信セッションを確立させ、発言権を獲得し、配信用情報を送信し、発言権を解放する。
【０１４１】
この場合、ユーザが送信先の登録操作を行うだけで、送信先の登録と、発言権の獲得と、配信用情報の送信と、発言権の解放とが、実行される。よって、操作性をさらに向上することが可能になる。
【０１４２】
また、本実施形態では、データ表示部１３ａは、複数の端末のうち自端末と異なる端末を、送信先の候補として表示し、外部データ入力部１１は、その送信先の候補から選択された候補を、送信先として受け付ける。
【０１４３】
この場合、送信先の入力を容易にすることが可能になる。
【０１４４】
また、本実施形態では、複数の通信端末とマルチメディア配信サーバ２は、ＰｏＣ方式で通信する。
【０１４５】
この場合、プロトコル処理が容易になり、リアルタイム性を向上することが可能になる。
【０１４６】
次に、本発明の他の実施形態について図８にて説明する。
【０１４７】
図８は、本セキュリティシステムをホームセキュリティシステムとして利用した場合の実施形態を示す。
【０１４８】
なお、図８において、図１に示したものと同一のものには同一符号を付してある。以下では、図１に示したものと異なる点を中心に説明する。
【０１４９】
図８において、ホームセキュリティシステムは、固定・移動統合ネットワーク１と、マルチメディア配信サーバ２と、防犯センタに設置される固定マルチメディア通信端末３と、移動マルチメディア通信端末４および５と、屋外の玄関等に設置しているインターホンに通信機能を備えた端末７と、侵入者を検出するセンサに通信機能を備えた端末８と、を含む。
【０１５０】
次に、動作を説明する。
【０１５１】
まず、家屋への訪問者７１により、玄関に設置されたインターホン７が押される。
【０１５２】
インターホン７には、カメラおよびマイク等が設置されており、インターホンのボタンが押されると、インターホン７は、カメラとマイクより、訪問者の映像と音声をひろい、その映像と音声をマルチメディア配信サーバ２に、情報として送信する。
【０１５３】
マルチメディア配信サーバ２は、家屋の所有者である家主４１および５１が所有している移動マルチメディア通信端末４および５や、防災センタに設置されている固定マルチメディア通信端末３に、一斉に、訪問者の映像と音声を配信する。
【０１５４】
これにより、家主が屋外に居ても訪問者への応対が可能となり、また、訪問者が不審者であった場合は、即座に防災センタから現場に駆けつけることが可能となる。
【０１５５】
例えば、家主４１が、訪問者は不審者であると思ったら、移動マルチメディア通信端末４を用いて、その旨を、必要なメンバに通知することができる。
【０１５６】
また、家屋の屋内外に設置したセンサ８が、当通信機能を備えることにより、家屋への侵入者８１がセンサ８にて検出されると、センサ８は、カメラとマイクにより、侵入者の映像と音声を捕らえ、マルチメディア配信サーバ２に、侵入者の映像と音声を情報として送信する。
【０１５７】
マルチメディア配信サーバ２は、家主４１および５１が所有している移動マルチメディア通信端末４および５や、防災センタに設置されている固定マルチメディア通信端末３に、一斉に、侵入者の映像と音声を配信する。
【０１５８】
これにより、侵入者の武装や人数などを特定し、取得した情報をもとに対応方法をとることが可能となる。
【０１５９】
また、例えば、街頭や店内に設置した監視カメラを、リモートにて操作することにより、各設置地点で撮影した動画像などを、通信端末保有者へ一斉配信することを実現できる。
【０１６０】
なお、図３に示したマルチメディア通信端末１０は、専用のハードウェアにより実現されてもよいし、その機能を実現するためのプログラムを実行するコンピュータにて実現されてもよい。
【０１６１】
例えば、マルチメディア通信端末１０が有する機能を実現するためのプログラムが、コンピュータ読み取り可能な記録媒体に記録されており、この記録媒体に記録されたプログラムを、コンピュータシステムが読み込み実行してもよい。
【０１６２】
この場合、コンピュータシステムは、その記録媒体に記録されたプログラムを実行することによって、外部データ入力部１１、制御部１２および出力部１３として機能する。
【０１６３】
図９は、図３に示したマルチメディア通信端末１０が、その機能を実現するためのプログラムを実行するコンピュータにて実現された例を示したブロック図である。図９では、そのプログラムが記録されたコンピュータ読み取り可能な記録媒体として、ハードディスク装置（ＨＤＤ）１４が用いられている。
【０１６４】
また、図４に示したマルチメディア配信サーバ２は、専用のハードウェアにより実現されてもよいし、その機能を実現するためのプログラムを実行するコンピュータにて実現されてもよい。
【０１６５】
例えば、マルチメディア配信サーバ２が有する機能を実現するためのプログラムが、コンピュータ読み取り可能な記録媒体に記録されており、この記録媒体に記録されたプログラムを、コンピュータシステムが読み込み実行してもよい。
【０１６６】
この場合、コンピュータシステムは、その記録媒体に記録されたプログラムを実行することによって、管理部２ａと配信部２ｂとして機能する。
【０１６７】
図１０は、図４に示したマルチメディア配信サーバ２が、その機能を実現するためのプログラムを実行するコンピュータにて実現された例を示したブロック図である。図１０では、そのプログラムが記録されたコンピュータ読み取り可能な記録媒体として、ハードディスク装置（ＨＤＤ）２ｃが用いられている。
【０１６８】
なお、コンピュータ読み取り可能な記録媒体とは、フロッピー（登録商標）ディスク、光磁気ディスク、ＣＤ−ＲＯＭ等の記録媒体、コンピュータシステムに内蔵されるハードディスク装置等の記憶装置を指す。
【０１６９】
さらに、コンピュータ読み取り可能な記録媒体は、インターネットを介してプログラムを送信する場合のように、短時間の間、動的にプログラムを保持するもの（伝送媒体もしくは伝送波）、その場合のサーバとなるコンピュータシステム内部の揮発性メモリのように、一定時間プログラムを保持しているものも含む。
【０１７０】
以上説明した各実施形態において、図示した構成は単なる一例であって、本発明はその構成に限定されるものではない。
【０１７１】
例えば、図３に示したマルチメディア通信端末が、配信用情報の送信専用端末であった場合、出力部１３は省略されてもよい。
【０１７２】
この場合も、マルチメディア通信端末は、外部データ入力部１１と、制御部１２と、を備える。このため、ユーザは、配信用情報を送信するたびに送信先を変更したい場合、外部データ入力部１１を用いて送信先の登録操作を行うだけで、少なくとも、送信先の登録と配信用情報の送信の２つの動作が実行される。よって、操作性を向上することが可能になる。
【図面の簡単な説明】
【０１７３】
【図１】本発明の一実施形態のセキュリティシステムを示したブロック図である。
【図２】セキュリティシステムの動作の一例を説明するための説明図である。
【図３】マルチメディア通信端末１０の一例を示したブロック図である。
【図４】マルチメディア配信サーバ２の一例を示したブロック図である。
【図５】セキュリティシステムの動作の一例を説明するためのシーケンス図である。
【図６】セキュリティシステムの動作の一例を説明するためのフローチャートである。
【図７】セキュリティシステムの動作の一例を説明するためのシーケンス図である。
【図８】本発明の他の実施形態のセキュリティシステムを示したブロック図である。
【図９】マルチメディア通信端末１０の他の例を示したブロック図である。
【図１０】マルチメディア配信サーバ２の他の例を示したブロック図である。
【符号の説明】
【０１７４】
１      固定・移動統合ネットワーク
２      マルチメディア配信サーバ
２ａ    管理部
２ｂ    配信部
２ｃ    ＨＤＤ
２ｄ    コンピュータ
３      固定マルチメディア通信端末
４〜６  移動マルチメディア通信端末
１０      マルチメディア通信端末
１１      外部データ入力部
１２      制御部
１２ａ    送信制御部
１２ａ１  データ管理部
１２ａ２  データ送受信部
１２ａ３  アドレス帳
１２ａ４  セッション制御部
１２ｂ    発言権管理部
１３      出力部
１３ａ    データ表示部
１３ｂ    スピーカ部
１４      ＨＤＤ
【図１】
2009015572.tif 000003
【図２】
2009015572.tif 000004
【図３】
2009015572.tif 000005
【図４】
2009015572.tif 000006
【図５】
2009015572.tif 000007
【図６】
2009015572.tif 000008
【図７】
2009015572.tif 000009
【図８】
2009015572.tif 000010
【図９】
2009015572.tif 000011
【図１０】
2009015572.tif 000012